(57)【要約】【課題】多目的トイレ内に設置されても車椅子による移動の邪魔になることのない貯湯式小型電気温水器を提供する。【解決手段】ケーシング１Ｂ内にドーナツ型形状の貯湯タンク８Ｂを備えており、貯湯タンク８Ｂの下部には、加熱ヒーター６が取り付けられている。貯湯タンク８Ｂの形状を断面が円形であるドーナツ型形状とすることで、十分な貯湯量と耐圧性能を確保することができ、ケーシングの奥行きと高さ寸歩を小さくすることができる。【選択図】  図２
2004183992.tif 000002
【特許請求の範囲】
【請求項１】
ケーシングと、略円柱型の貯湯タンクと、前記貯湯タンクの下部に備えられ前記貯湯タンク内の水を加熱する加熱部と、前記貯湯タンクの上流に接続された給水経路と、前記貯湯タンクの下流に接続された出湯経路とから成る貯湯式小型電気温水器において、前記貯湯タンクをケーシング底面に対して斜めに配置したことを特徴とした貯湯式小型電気温水器。
【請求項２】
貯湯タンクと、前記貯湯タンク内の水を加熱する加熱部と、前記貯湯タンクの上流に接続された給水経路と、前記貯湯タンクの下流に接続された出湯経路とから成る貯湯式小型電気温水器において、前記貯湯タンクをドーナツ型形状としたことを特徴とした貯湯式小型電気温水器。
【発明の詳細な説明】
【０００１】
【発明の属する技術分野】
本発明は、トイレの手洗い等に使用される貯湯式小型電気温水器に関する。
【０００２】
【従来の技術】
従来の貯湯式小型電気温水器は、円柱状の貯湯タンクをケーシング底面に対して垂直になるように配置し、トイレ等の床面に据え置き設置されていた。（例えば、特許文献１参照。）
図８は、従来の貯湯式小型電気温水器の斜視図であり、水平断面が略正方形状のケーシング１Ｃには円柱状の貯湯タンク８Ｃが垂直に備えられており、貯湯タンク８Ｃには、加熱ヒーター６がフランジ７によって取り付けられている。給水源からの水は給水接続口２から減圧弁３、給水管４を通じて貯湯タンク８Ｃに流入する。貯湯タンク８Ｃ内の水は加熱ヒータ６により沸き上げられ、出湯管９、出湯接続口１０を通じて給水栓（図示せず）から出湯される。加熱ヒータ６で貯湯タンク８Ｃ内の水を沸き上げる際に発生する膨張水は過圧逃し弁１１により膨張水口１２から排出されるようになっている。
【０００３】
【特許文献１】
実開平７−２８４５  号公報（第２図）
【０００４】
【発明が解決しようとする課題】
図７は、多目的トイレ（または障害者用トイレ）の平面図である。壁面３１に囲まれたトイレ内部空間には、大便器３２と、手すり３３と、給水栓３７、石鹸器３６が備えられた手洗い洗面器３４と、湯水混合水栓４２、フラッシュバルブ４１が備えられた汚物流し器３９が設置されている。湯水混合水栓４２にお湯を供給するために、この多目的トイレ内に従来の貯湯式小型電気温水器を設置した場合、図７の斜線部１０１または斜線部１０２の位置に設置することができる。しかしながら車椅子を使用する場合、この貯湯式小型電気温水器が邪魔になり、汚物流しに接近できなかったり、大便器への移動の障害となってしまうという問題点があった。
【０００５】
本発明は上記課題を解決するためになされたもので、本発明の目的は、多目的トイレ内に設置されても車椅子による移動の邪魔になることのない貯湯式小型電気温水器を提供することにある。
【０００６】
【課題を解決するための手段及びその作用・効果】
上記目的を達成するために請求項１では、ケーシングと、略円柱型の貯湯タンクと、前記貯湯タンクの下部に備えられ前記貯湯タンク内の水を加熱する加熱部と、前記貯湯タンクの上流に接続された給水経路と、前記貯湯タンクの下流に接続された出湯経路とから成る貯湯式小型電気温水器において、前記貯湯タンクをケーシング底面に対して斜めに配置する構成とした。
【０００７】
よって、貯湯タンク内の水が加熱ヒーターにより加熱された際に、対流により貯湯タンク上部に移動することができ、貯湯タンク内の水を均一に加熱することができる。そのため、貯湯タンクの直径を小さくしつつ貯湯タンクの長さを長くすることができるようになり、貯湯量と耐圧性能を損なうことなく、ケーシングを薄型にすることができ、多目的トイレ内に設置されても車椅子による移動の邪魔になることがない。
【０００８】
請求項２では、貯湯タンクと、前記貯湯タンク内の水を加熱する加熱部と、前記貯湯タンクの上流に接続された給水経路と、前記貯湯タンクの下流に接続された出湯経路とから成る貯湯式小型電気温水器において、前記貯湯タンクをドーナツ型形状とした。
【０００９】
よって、ドーナツ型形状のタンクは断面が円形であることから、十分な耐圧を備えることができ、貯湯量と耐圧性能を損なうことなく、ケーシングを薄型にすることができ、多目的トイレ内に設置されても車椅子による移動の邪魔になることがない。
【発明の実施の形態】
以下、本発明の実施の形態を、図面により詳細に説明する。
【００１０】
図１は、本発明の第一の実施形態に於ける貯湯式小型電気温を示した斜視図である。第一の実施形態における貯湯式小型電気温水器は、ケーシング１Ａ内に円柱状の貯湯タンク８Ａが、それぞれ長さの異なる固定脚１３、１４によりケーシング底面に対して斜めに備えられており、貯湯タンク８Ａの下部には、加熱ヒーター６が取り付けられている。貯湯タンク８Ａ内の水は加熱ヒーター６により加熱され、対流により貯湯タンク上部に移動することができ、貯湯タンク８Ａ内を均一に加熱することができる。また、貯湯タンク８Ａを斜めに設置することでさらにケーシングの高さと奥行き寸法を抑えつつ、貯湯量と耐圧性能を確保することができる。ケーシング１Ｂの背面上部には取り付けのための壁掛け吊り金具１５が備えられている。
【００１１】
給水源からの水は給水接続口２から減圧弁３、給水管４を通じて貯湯タンク８Ａに流入する。加熱ヒータ６により沸き上げられた貯湯タンク８Ａ内の水は、出湯管９、出湯接続口１０を通じて給水栓（図示せず）から出湯される。加熱ヒータ６で貯湯タンク８Ａ内の水を沸き上げる際に発生する膨張水は過圧逃し弁１１により膨張水口１２から排出される。
【００１２】
図２は、本発明の第二の実施形態に於ける貯湯式小型電気温を示した構成図である。第二の実施形態における貯湯式小型電気温水器は、ケーシング１Ｂ内にドーナツ型形状の貯湯タンク８Ｂを備えており、貯湯タンク８Ｂの下部には、加熱ヒーター６が取り付けられている。貯湯タンク８Ｂの形状を断面が円形であるドーナツ型形状とすることで、十分な貯湯量と耐圧性能を確保することができ、ケーシングの奥行きと高さ寸歩を小さくすることができる。また、ケーシング１Ｂの背面上部には取り付けのための壁掛け吊り金具１５が備えられている。
【００１３】
給水源からの水は第一の実施形態と同様に給水接続口２から減圧弁３、給水管４を通じて貯湯タンク８Ｂに流入する。加熱ヒータ６により沸き上げられた貯湯タンク８Ｂ内の水は、出湯管９、出湯接続口１０を通じて給水栓（図示せず）から出湯される。加熱ヒータ６で貯湯タンク８Ｂ内の水を沸き上げる際に発生する膨張水は過圧逃し弁１１により膨張水口１２から排出される。
【００１４】
図３は、貯湯タンク８Ｂの側面図、図４は、貯湯タンク８Ｂの正面図である。貯湯タンク８Ｂは固定脚２２によりケーシング底板に固定されている。また、加熱ヒータ６はフランジ７、８ヶの固定ビス２１により貯湯タンク８Ｂに固定されている。ドーナツ型形状の貯湯タンク８Ｂは左右に２分割された深絞りステンレス板で構成され、中心部２４と外周部２３が溶接により接合されている。
【００１５】
図５、図６は本発明の貯湯式小型電気温水器を多目的トイレに設置した平面図である。図５の設置例では、斜線部１０３または斜線部１０４の位置に本発明の貯湯式小型電気温水器を設置することができる。斜線部１０３の設置位置は、本発明の貯湯式小型電気温水器の半分（点線部）を手洗い器の下部スペースに入り込ませてある。このように設置することで、車椅子により、汚物流し器や大便器に移動する際に移動の邪魔になることがない。
また、図６の設置例では、汚物流し器３９の背面にライニングケースを設け、本発名の貯湯式小型電気温水器をその中に設置している。貯湯式小型電気温水器を薄型にすることで、ライニングケースも薄くすることができ、この場合も車椅子の移動の邪魔になることがない。
【図面の簡単な説明】
【図１】本発明の第一の実施形態に於ける貯湯式小型電気温の斜視図
【図２】本発明の第一の実施形態に於ける貯湯式小型電気温の斜視図
【図３】本発明の貯湯タンク８Ｂの側面図
【図４】本発明の貯湯タンク８Ｂの正面図
【図５】本発明の貯湯式小型電気温水器を多目的トイレに設置した平面図
【図６】本発明の貯湯式小型電気温水器を多目的トイレに設置した平面図
【図７】多目的トイレの平面図
【図８】従来の貯湯式小型電気温水器の斜視図
【符号の説明】
１Ａ，１Ｂ，１Ｃ…ケーシング
２…給水接続口
３…減圧弁
４…給水管
６…加熱ヒーター
７…フランジ
８Ａ，８Ｂ，８Ｃ…貯湯タンク
１０…出湯接続口
１１…過圧逃し弁
１２…膨張水口
１３，１４…固定脚
１５…壁掛け吊り金具
２１…固定ビス
２２…固定脚
３１…壁面
３２…大便器
３３…手すり
３７…給水栓
３６…石鹸器
４１…フラッシュバルブ
４２…湯水混合水栓
【図１】
2004183992.tif 000003
【図２】
2004183992.tif 000004
【図３】
2004183992.tif 000005
【図４】
2004183992.tif 000006
【図５】
2004183992.tif 000007
【図６】
2004183992.tif 000008
【図７】
2004183992.tif 000009
【図８】
2004183992.tif 000010